(57)【要約】【課題】複数種類のカードを用いて、より興趣性の高いくじを提供する。【解決手段】デジタルサイネージ装置１によれば、制御部２３は、非接触通信部３４によりカード５が検出されると、非接触通信部３４により当該カード５の種類を示す種類識別ＩＤを読み取るとともに、読み取られたカード５を所持する顧客を識別し、読み取られたカードの識別情報を、例えば顔認識によって識別された顧客の顧客識別情報に対応付けてカード収集管理ＤＢ２５２に記憶させる。そして、カード収集管理ＤＢ２５２に識別された顧客の顧客識別情報に対応付けて記憶されている種類識別ＩＤに基づいて、くじ実施の制御を行う。【選択図】図５
2015176183.tif 000002
【特許請求の範囲】
【請求項１】
複数の種類が存在するカードから当該カードの種類を示す識別情報を読み取る読取手段と、
前記読取手段により読み取られたカードの種類を示す識別情報を顧客に対応付けて記憶手段に記憶させる記憶制御手段と、
前記記憶手段に記憶されている顧客に対応付けられたカードの種類を示す識別情報に基づいて、くじ実施の制御を行うくじ制御手段と、
を備えるくじ装置。
【請求項２】
前記読取手段により読み取られたカードを所持する前記顧客を識別する識別手段を備え、
前記記憶制御手段は、前記読取手段により読み取られたカードの種類を示す識別情報を前記識別手段により識別された顧客の顧客識別情報に対応付けて前記記憶手段に記憶させ、
前記くじ制御手段は、前記識別手段により識別された顧客の顧客識別情報に対応付けて前記記憶手段に記憶されている識別情報に基づいて、前記顧客に対するくじ実施の制御を行う請求項１に記載のくじ装置。
【請求項３】
前記識別手段は、撮影手段により、前記読取手段により読み取られたカードを所持する顧客を撮影させ、得られた撮影画像に基づいて前記顧客を識別する請求項２に記載のくじ装置。
【請求項４】
前記くじ制御手段は、前記記憶手段に記憶されている識別情報に基づいて前記複数の種類のうち予め定められた割合以上又は個数以上の種類のカードが読み取られたか否かを判断し、読み取られたと判断した場合に、くじを実施する請求項１〜３の何れか一項に記載のくじ装置。
【請求項５】
前記カードには、種類によってデザインが異なるカードと全種類同じデザインのカードとが存在し、
前記くじ制御手段は、前記種類によってデザインが異なるカードについて前記複数の種類のうち予め定められた割合以上又は個数以上の種類のカードが読み取られたと判断した場合に、くじを実施する請求項４に記載のくじ装置。
【請求項６】
前記くじ制御手段は、前記全種類同じデザインのカードについて前記予め定められた割合以上又は個数以上の種類のカードが読み取られたと判断した場合は、くじを実施することなく当選と判定する請求項５に記載のくじ装置。
【請求項７】
前記カードは、非接触型ＩＣカードであり、前記読取手段は、前記カードと非接触通信を行って前記カードの種類を示す識別情報を読み取る請求項１〜６の何れか一項に記載のくじ装置。
【請求項８】
複数の種類が存在するカードから当該カードの種類を示す識別情報を読み取る読取手段を備えるくじ装置に用いられるコンピュータを、
前記読取手段により読み取られたカードの種類を示す識別情報を顧客に対応付けて記憶手段に記憶させる記憶制御手段、
前記記憶手段に記憶されている顧客に対応付けられたカードの種類を示す識別情報に基づいて、くじ実施の制御を行うくじ制御手段、
として機能させるためのプログラム。
【請求項９】
複数の種類が存在するカードから当該カードの種類を示す識別情報を読み取る工程と、
前記読み取られたカードの種類を示す識別情報を顧客に対応付けて記憶手段に記憶させる工程と、
前記記憶手段に記憶されている顧客に対応付けられたカードの種類を示す識別情報に基づいて、くじ実施の制御を行う工程と、
を含むくじ制御方法。
【発明の詳細な説明】
【技術分野】
【０００１】
本発明は、くじ装置、プログラム、及びくじ制御方法に関する。
【背景技術】
【０００２】
従来、映像供給装置に接続される映像出力装置と、反射部材と、スクリーンとを有し、映像出力装置からコンテンツを投影する出力光を反射部材によって反射し、この反射部材によって反射された出力光を当該コンテンツの輪郭の形状に形成されたスクリーンに投影することにより、閲覧者に対して印象を高めることができる映像出力装置搭載機器が知られている（例えば、特許文献１参照）。
【０００３】
また、来店により単純にポイント加算するシステムや、スロットゲームや電子くじ等でランダムにポイント加算やクーポンを配布するシステムが知られている。
【先行技術文献】
【特許文献】
【０００４】
【特許文献１】特開２０１１−１５０２２１号公報
【発明の概要】
【発明が解決しようとする課題】
【０００５】
特許文献１に記載の映像出力装置搭載機器のような表示装置は、一般的に、商品の説明等のコンテンツの表示に用いられるが、例えば、来店した顧客に対するポイント加算やクーポン配布のためのスロットやくじの実施のように顧客サービスを提供する装置として用いることも考えられる。しかしながら、従来、くじは一枚又は所定金額分のくじ券（カードやレシートを含む）と引き換えに行うことができるものであり、複数種類のカードを用いたくじは存在しなかった。
【０００６】
本発明の課題は、複数種類のカードを用いて、より興趣性の高いくじを提供することである。
【課題を解決するための手段】
【０００７】
上記課題を解決するため、請求項１に記載の発明のくじ装置は、
複数の種類が存在するカードから当該カードの種類を示す識別情報を読み取る読取手段と、
前記読取手段により読み取られたカードの種類を示す識別情報を顧客に対応付けて記憶手段に記憶させる記憶制御手段と、
前記記憶手段に記憶されている顧客に対応付けられたカードの種類を示す識別情報に基づいて、くじ実施の制御を行うくじ制御手段と、
を備える。
【発明の効果】
【０００８】
本発明によれば、複数種類のカードを用いて、より興趣性の高いくじを提供することが可能となる。
【図面の簡単な説明】
【０００９】
【図１】本実施形態におけるデジタルサイネージ装置の機能的構成を示すブロック図である。
【図２】カード収集管理ＤＢのレコードの一例を示す図である。
【図３】図１のスクリーン部の概略構成を示す図である。
【図４】図１のプロモーションカードのデータ格納例を示す図である。
【図５】図１の制御部により実行されるくじ引き処理を示すフローチャートである。
【発明を実施するための形態】
【００１０】
以下、添付図面を参照して本発明に係る好適な実施形態を詳細に説明する。以下の実施形態では、本発明に係るくじ装置としてデジタルサイネージ装置１を適用した場合を例にとり説明する。なお、本発明は、図示例に限定されるものではない。
【００１１】
［デジタルサイネージ装置１の構成］
図１は、デジタルサイネージ装置１の主制御構成を示すブロック図である。デジタルサイネージ装置１は、例えば、店舗等に設置され、複数の種類が存在するプロモーションカード５（以下、カード５と呼ぶ）を、例えば、全種類集めることにより参加できるくじを提供する装置である。
【００１２】
図１に示すように、デジタルサイネージ装置１は、コンテンツの映像光を照射する投影部２１と、投影部２１から照射された映像光を背面で受けて前面に投影するスクリーン部２２とを備えている。
【００１３】
まず、投影部２１について説明する。
投影部２１は、制御部２３と、プロジェクタ２４と、記憶部２５と、通信部２６とを備えている。プロジェクタ２４、記憶部２５、通信部２６は、図１に示すように制御部２３に接続されている。
【００１４】
制御部２３は、記憶部２５のプログラム記憶部２５１に記憶されている各種のプログラムを実行して所定の演算や各部の制御を行うＣＰＵ（Central Processing Unit）とプログラム実行時の作業領域となるメモリとを備えている。制御部２３は、記憶部２５のプログラム記憶部２５１に記憶されているプログラムとの協働により、記憶制御手段、くじ制御手段、識別手段として機能する。
【００１５】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００１６】
記憶部２５は、ＨＤＤ（Hard Disk Drive）や不揮発性の半導体メモリ等により構成される。記憶部２５には、図１に示すように、プログラム記憶部２５１、カード収集管理ＤＢ（Data Base）２５２が設けられている。
【００１７】
プログラム記憶部２５１には、制御部２３で実行されるシステムプログラムや後述するくじ引き処理を始めとする各種処理を実行するための処理プログラム、これらのプログラムの実行に必要なデータ等が記憶されている。
【００１８】
カード収集管理ＤＢ２５２には、顧客毎に、非接触通信部３４により読み取られたカード５の種類識別ＩＤを示す情報が記憶されている。上述のように、カード５には、複数の種類が存在し、カード５のそれぞれには、その種類を識別するための種類識別ＩＤが書き込まれている。
【００１９】
図２に、カード収集管理ＤＢ２５２のレコードの一例を示す。図２に示すように、カード収集管理ＤＢ２５２の各レコードは、「顧客識別情報」、「デザイン判定フラグ」、「種類識別ＩＤ＝１の読取有無フラグ」、「種類識別ＩＤ＝２の読取有無フラグ」、・・・、「種類識別ＩＤ＝Ｎの読取有無フラグ」（Ｎはカード５の種類の数）のフィールドを有し、顧客識別情報に対応付けて、その顧客により種類識別ＩＤ＝１〜ＮのＮ種類のカード５のそれぞれが非接触通信部３４により読み取られたか（即ち、収集されたか）否かを示すフラグを記憶する。ここで、読取無しを示すフラグを「０」、読取有りを示すフラグを「１」とする。デフォルトでは０が記憶されている。カード５から読み取られた種類識別ＩＤに対応する読取有無フラグのフィールドに「１」を記憶することで、読み取られたカード５の種類を示す識別情報を記憶することができる。
【００２０】
カード収集管理ＤＢ２５２の「顧客識別情報」フィールドに登録される顧客識別情報としては、例えば、顧客の顔画像、又は顧客が最初にかざした（最初に読み取られた）カード５のユニーク番号等を用いることができる。
【００２１】
通信部２６は、モデム、ルータ、ネットワークカード等により構成され、外部機器との通信を行う。
【００２２】
次に、スクリーン部２２について説明する。
図３は、スクリーン部２２の概略構成を示す正面図である。図３に示すようにスクリーン部２２には、画像形成部２７と、画像形成部２７を支持する台座２８とが備えられている。
【００２３】
画像形成部２７は、映像光の照射方向に対して略直交するように配置された、例えばアクリル板などの人型に成形された一枚の透光板２９に、フィルム状のフレネルレンズが積層された背面投影用のフィルムスクリーンが貼付されて構成されたスクリーンである。この画像形成部２７と前述したプロジェクタ２４とにより表示手段を構成している。
【００２４】
画像形成部２７の上部には、例えばカメラなどの撮像部３６が設けられている。この撮像部３６が画像形成部２７に対向する空間の画像を撮影して撮影画像を生成する。撮像部３６は、図示は省略するが、光学系及び撮像素子を備えるカメラと、カメラを制御する撮像制御部とを備えている。
カメラの光学系は、画像形成部２７の前にいる人物を撮影可能な方向に向けられている。また、その撮像素子は、例えば、ＣＣＤ（Charge Coupled Device）やＣＭＯＳ（Complementary Metal-oxide Semiconductor）等のイメージセンサである。そして、撮像素子は、光学系を通過した光学像を２次元の画像信号に変換する。
【００２５】
台座２８には、操作部３２と、音声を出力するスピーカなどの音声出力部３３と、非接触通信部３４と、プリンタ３５と、が設けられている。
【００２６】
操作部３２は、数字ボタン、決定ボタン等の操作ボタンを備え、操作ボタンの押下信号を検出して制御部２３に出力する。
【００２７】
読取手段としての非接触通信部３４は、ＮＦＣ（Near Field Communication）等の無線通信により、カード５と非接触通信を行い、カード５からのデータの読み取りやカード５へのデータの書き込みを行う。
【００２８】
カード５は、非接触型ＩＣカード等により構成され、非接触通信部３４との無線通信機能を備える。カード５は、例えば、店舗で所定金額購入する毎に、又は、所定の商品を購入する毎に購入した顧客に対して配布されるプロモーションカードであり、複数種類存在する。カード５には、種類毎にデザインが異なるものと、全種類同じデザインのものとがあり、顧客はカード５を受け取る際に何れかを選択することができる。
【００２９】
図４に、カード５のデータ格納例を示す。図４に示すように、カード５には、「ユニークＩＤ」、「種類識別ＩＤ」、「デザイン判定フラグ」等が記憶されている。「ユニークＩＤ」は、カード５のそれぞれに個別に割り当てられたユニーク番号である。「種類識別ＩＤ」は、そのカード５の種類を示す識別情報である。本実施形態においては、種類識別ＩＤとして１〜Ｎの何れかのＩＤが記憶されているものとする。「デザイン判定フラグ」は、全種類同じデザインのカードであるか異なるデザインのカードであるかを示すフラグである。フラグ「０」は同じデザインであることを示し、「１」は異なるデザインであることを示す。
【００３０】
［デジタルサイネージ装置１の動作］
次に、デジタルサイネージ装置１の動作について説明する。
【００３１】
図５に、デジタルサイネージ装置１において実行されるくじ引き処理のフローチャートを示す。くじ引き処理は、デジタルサイネージ１の電源がＯＮとなった際に、制御部２３とプログラム記憶部２５１に記憶されているプログラムとの協働により実行される。
【００３２】
まず、制御部２３は、非接触通信部３０によりカード５が検出されるのを待機する（ステップＳ１）。ここで、カード５を取得した顧客は、カード５をデジタルサイネージ装置１の非接触通信部３４にかざしてカード５に記憶されている種類識別ＩＤを読み取らせることにより、その種類のカード５を収集したことを登録することができる。
【００３３】
非接触通信部３０によりカード５が検出されたと判断した場合（ステップＳ１；ＹＥＳ）、制御部２３は、非接触通信部３０によりカード５に記憶されているユニークＩＤ、種類識別ＩＤ、デザイン判定フラグを読み取ってメモリに記憶する（ステップＳ２）。
【００３４】
次いで、制御部２３は、顧客を識別する処理を行う（ステップＳ３）。
ここで、上述のように、顧客識別情報としては、例えば、顧客の顔画像、又は顧客が最初にかざした（最初に読み取られた）カード５のユニーク番号を用いることができる。
顧客識別情報として顔画像を用いる構成の場合、制御部２３は、撮像部３６により撮影を行って、得られた撮影画像に顔認識処理を行う。そして、ステップＳ２で読み取られたデザイン判定フラグと「デザイン判定フラグ」が一致し、かつ、認識された顔画像と「顧客識別情報」の顔画像が一致するレコードをカード収集管理ＤＢ２５２から検索する処理を行い、検索された場合、カード５をかざした顧客が検索されたレコードに該当する顧客であると識別する。
顧客識別情報として最初に読み取られたカード５のユニーク番号を用いる構成の場合、制御部２３は、画像形成部２７又は音声出力部３３に「最初にかざしたプロモーションカードをかざしてください」等のメッセージを表示させる。そして、所定時間以内に非接触通信部３４によりカード５が検出され、検出されたカード５から読み取られたデザイン判定フラグとステップＳ２において読み取られたデザイン判定フラグの双方と「デザイン判定フラグ」が一致し、かつ、検出されたカード５から読み取られたユニークＩＤと「顧客識別情報」が一致するレコードをカード収集管理ＤＢ２５２から検索し、検索された場合、カード５をかざした顧客が検索されたレコードに該当する顧客であると識別する。
【００３５】
ステップＳ３の処理の結果、カード５をかざした顧客が識別できなかった場合（ステップＳ４；ＮＯ）、制御部２３は、カード収集管理ＤＢ２５２に新たなレコードを追加してデザイン判定フラグ及び顧客識別情報を登録し（ステップＳ５）、ステップＳ６の処理に移行する。
顧客識別情報として顔画像を用いる構成の場合、制御部２３は、カード収集管理ＤＢ２５２に新たなレコードを追加して、ステップＳ３における顧客識別処理において撮像部３６により取得した顔画像を「顧客識別情報」フィールドに格納する。また、ステップＳ２で読み取られたデザイン判定フラグを「デザイン判定フラグ」フィールドに格納する。
顧客識別情報として最初に読み取られたカード５のユニーク番号を用いる構成の場合、制御部２３は、カード収集管理ＤＢ２５２に新たなレコードを追加して、ステップＳ２においてメモリに記憶されたユニーク番号を「顧客識別情報」フィールドに格納する。また、ステップＳ２で読み取られたデザイン判定フラグを「デザイン判定フラグ」フィールドに格納する。
一方、カード５をかざした顧客が識別できた場合（ステップＳ４；ＹＥＳ）、制御部２３は、ステップＳ６の処理に移行する。
【００３６】
ステップＳ６において、制御部２３は、ステップＳ２で読み取られた種類識別ＩＤに対応する種類のカードが読み取られたことを示す情報を顧客識別情報に対応付けてカード収集管理ＤＢ２５２に記憶させる（ステップＳ６）。具体的には、ステップＳ３で検索されたレコード又はステップＳ５において追加されたレコードの、ステップＳ２において読み取られた種類識別ＩＤの読取有無フラグを格納するフィールドに、読取有りを示すフラグ「１」を記憶させる。このステップＳ６の処理により、制御部２３は、ステップＳ２において読み取られカードの種類を示す種類情報を記憶手段に記憶する記憶制御手段としての機能を実現する。
【００３７】
次いで、制御部２３は、読取有りフラグを書き込んだレコードの各種類識別ＩＤの読取有無フラグを参照し、全種類のカード５が読み取られたか否かを判断する（ステップＳ７）。全種類のカード５が読み取られていないと判断した場合（ステップＳ７；ＮＯ）、制御部２３は、画像形成部２７又は音声出力部３３により全種類のカードが集まっていないことを通知するメッセージを出力し（ステップＳ８）、ステップＳ１の処理に戻る。
【００３８】
一方、全種類のカード５が読み取られたと判断した場合（ステップＳ７；ＮＯ）、制御部２３は、ステップＳ２で読み取られたデザイン判定フラグを参照し、種類毎にデザインの異なるカードである否かを判断する（ステップＳ９）。
種類毎にデザインが異なるカードである、即ち、デザイン判定フラグが「１」であると判断した場合（ステップＳ９；ＹＥＳ）、制御部２３は、くじを実施する（ステップＳ１０）。例えば、制御部２３は、乱数を発生させ、発生した乱数が予め定められた数値である場合に、当選とする。発生した乱数が予め定められた数値ではない場合は落選とする。
【００３９】
くじの結果が当選である場合（ステップＳ１１；ＹＥＳ）、制御部２３は、プロジェクタ２４により画像形成部２７に当選表示を行わせるとともに、プリンタ３５により当選券（商品の引換券等）を印刷出力させ（ステップＳ１２）、ステップＳ１に戻る。くじの結果が落選である場合（ステップＳ１１；ＮＯ）制御部２３は、プロジェクタ２４により画像形成部２７に落選表示を行わせ（ステップＳ１３）、ステップＳ１に戻る。なお、ステップＳ１２、Ｓ１３においては、当選又は落選を通知するメッセージや効果音を音声出力部３３により出力することとしてもよい。
【００４０】
一方、全種類デザインが同じカードである、即ち、デザイン判定フラグが「０」であると判断した場合（ステップＳ９；ＮＯ）、制御部２３は、くじを実施することなく当選と判定してプロジェクタ２４により画像形成部２７に当選表示を行わせるとともに、プリンタ３５により当選券（商品の引換券等）を印刷出力させ（ステップＳ１２）、ステップＳ１に戻る。
【００４１】
デジタルサイネージ装置１の電源がＯＦＦされるまで、制御部２３はステップＳ１〜Ｓ１３の処理を繰り返し実行する。
【００４２】
以上説明したように、デジタルサイネージ装置１によれば、制御部２３は、非接触通信部３４によりカード５が検出されると、非接触通信部３４により当該カード５の種類を示す種類識別ＩＤを読み取るとともに、読み取られたカード５を所持する顧客を識別し、読み取られたカード５の種類を示す識別情報を、例えば顔認識によって識別された顧客の顧客識別情報に対応付けてカード収集管理ＤＢ２５２に記憶させる。そして、カード収集管理ＤＢ２５２において識別された顧客の顧客識別情報に対応付けて記憶されている、読み取られたカード５の種類を示す識別情報に基づいて、くじ実施の制御を行う。
従って、読み取られたカード５（即ち、顧客が集めたカード）の種類に基づいてくじの実施が制御されるので、複数種類のカードを用いて、より興趣性の高いくじを提供することが可能となる。  
【００４３】
例えば、制御部２３は、カード収集管理ＤＢ２５２において、識別された顧客の顧客識別情報に対応付けて記憶されている、読み取られたカード５の種類を示す識別情報に基づいて全種類のカード５が読み取られたか否かを判断し、読み取られたと判断した場合に、くじを実施する。従って、顧客がカード５を集める楽しさとくじを引く楽しさを味わうことのできる、より興趣性の高いくじを提供することができる。
【００４４】
また、カード５には、種類によってデザインが異なるカードと全種類同じデザインのカードとが存在し、全種類同じデザインのカードについて全種類のカードが読み取られたと判断した場合には、くじを実施することなく当選と判定する。従って、集める難易度が高く、どの程度の種類が集まっているのか外見上判断できない全種類同じデザインのカード５の場合は、顧客がカード５をかざす度に当たるかもしれないというスリルを味わうことのできる、より興趣性の高いくじを提供することができる。
【００４５】
なお、上記実施形態における記述内容は、本発明に係るデジタルサイネージ装置の好適な一例であり、これに限定されるものではない。
【００４６】
例えば、上記実施形態においては、記憶部２５を記憶手段とし、制御部２３は、カード５が非接触通信部３４により読み取られると、記憶部２５のカード収集管理ＤＢ２５２における読み取られたカード５の種類識別ＩＤの読取有無フラグを１（読取有りを示すフラグ）に変更して顧客識別情報に対応付けて記憶することとして説明したが、これに限定されない。例えば、１枚目に読み取られたカード５を記憶手段として、これに種類識別ＩＤ＝１〜Ｎのそれぞれの読取有無フラグを格納する領域を設け、カード５が検出された場合に、２枚目以降であれば１枚目のカード５をかざすように促す通知を画像形成部２７又は音声出力部３３により出力させ、１枚目のカード５の、検出されたカード５から読み取られた種類識別ＩＤに対応する領域にフラグ１（読取有りを示すフラグ）を記憶させることとしてもよい。この場合、読み取ったカード５のデザイン判定フラグと１枚目のカード５のデザイン判定フラグが一致しない場合はエラーとすることが好ましい。
【００４７】
また、上記実施形態においては、記憶部２５のカード収集管理ＤＢ２５２における読み取られたカード５の種類識別ＩＤの読取有無フラグを「１」に変更することにより、読み取られたカード５の種類を示す識別情報を記憶することとしたが、読み取られたカード５の種類識別ＩＤそのものを記憶する態様としてもよい。
【００４８】
また、デジタルサイネージ装置１がＬＡＮやインターネット等の通信ネットワークを介して図示しないサーバ装置に接続されている構成とし、このサーバ装置を記憶手段として、制御部２３は、カード５から読み取った情報をサーバ装置に送信して記憶させる構成としてもよい。この場合、図５のステップＳ３〜ステップＳ１１の処理をサーバ装置で行うこととし、当選結果、落選結果をサーバ装置から取得してデジタルサイネージ装置１で出力することとしてもよい。即ち、くじ制御手段をサーバ装置にもたせることとしてもよい。
【００４９】
また、上記実施形態においては、図５のステップＳ７において全種類（１００％の種類）のカードが読み取られたと判断した場合にくじを実施する（同じデザインのカードの場合は当選とする）こととしたが、予め定められた割合以上又は個数以上の種類のカード５が読み取られた（集まった）と判断した場合にくじを実施する（同じデザインのカードの場合は当選とする）こととしてもよい。また、読み取られた（集まった）種類の割合又は個数によって賞品のレベルを変えることとしてもよい。例えば、３０％以上、５０％以上、７０％以上の３段階の賞品レベルがあるとした場合、読み取られた種類が各賞品のレベルに対応する割合又は個数以上になったときに、くじを実施するか（同じデザインの場合は、賞品と引き換えるか）否かを顧客に確認するメッセージを出力し、操作部３２からくじの実施（又は賞品の引き換え）が指示された場合に、くじの実施等を行うこととしてもよい。或いは、ステップＳ７の判断の前に顧客に挑戦する賞品のレベルを選択させ、ステップＳ７において賞品レベルに応じた割合以上又は個数以上の種類のカード５が読み取られたか否かを判断することとしてもよい。
【００５０】
また、予め定められた割合以上又は個数以上の種類のカード５が読み取られた（集まった）と判断した場合に、集まった種類によってくじの当たる確率を変更するくじ制御を行うこととしてもよい。また、集まった種類によってくじを実施するか否かの制御を行うようにしてもよい。
【００５１】
また、全種類同じデザインのカード５の場合は、外見上、異なる種類が集まっているのかを判断することができず難易度が高いため、全種類集まった時点でくじを行うことなく当選とすることとしたが、種類毎にデザインが異なるカード５の場合と同様に、くじを実施することとしてもよい。
【００５２】
また、上記実施形態においては、カード収集管理ＤＢ２５２に各種類識別ＩＤの読取有無フラグを格納する領域を設け、読取有りフラグまたは読取無しフラグを記憶することとして説明したが、各領域には、読み取ったカード５のユニーク番号を記憶する構成としてもよい。これにより、一度使用されたカードが再度使用されてしまうことを防止することができる。
【００５３】
また、上記実施形態においては、カード５が非接触型ＩＣカードであり、読取手段が非接触通信部である場合を例にとり説明したが、これに限定されない。例えば、カード５が磁気カードであり、読取手段が磁気カードのリーダライタであってもよい。
【００５４】
また、上記実施形態においては、画像形成部２７が人型である場合を例にとり説明したが、他の形状としてもよく、これに限定されるものではない。
【００５５】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等、他の表示装置に適用しても同様の効果を奏することができ、この例に限定されない。
また、上記実施形態においては、一枚のカードを検出した場合、全種類集まったかの判断やくじ等を実施したが、これに限らず、例えば所定時間内に一度に複数枚数のカードを検出し、全種類集まったかの判断やくじ等を実施してもよい。
【００５６】
その他、デジタルサイネージ装置の細部構成及び細部動作に関しても、発明の趣旨を逸脱することのない範囲で適宜変更可能である。
【００５７】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
複数の種類が存在するカードから当該カードの種類を示す識別情報を読み取る読取手段と、
前記読取手段により読み取られたカードの種類を示す識別情報を顧客に対応付けて記憶手段に記憶させる記憶制御手段と、
前記記憶手段に記憶されている顧客に対応付けられたカードの種類を示す識別情報に基づいて、くじ実施の制御を行うくじ制御手段と、
を備えるくじ装置。
＜請求項２＞
前記読取手段により読み取られたカードを所持する前記顧客を識別する識別手段を備え、
前記記憶制御手段は、前記読取手段により読み取られたカードの種類を示す識別情報を前記識別手段により識別された顧客の顧客識別情報に対応付けて前記記憶手段に記憶させ、
前記くじ制御手段は、前記識別手段により識別された顧客の顧客識別情報に対応付けて前記記憶手段に記憶されている識別情報に基づいて、前記顧客に対するくじ実施の制御を行う請求項１に記載のくじ装置。
＜請求項３＞
前記識別手段は、撮影手段により、前記読取手段により読み取られたカードを所持する顧客を撮影させ、得られた撮影画像に基づいて前記顧客を識別する請求項２に記載のくじ装置。
＜請求項４＞
前記くじ制御手段は、前記記憶手段に記憶されている識別情報に基づいて前記複数の種類のうち予め定められた割合以上又は個数以上の種類のカードが読み取られたか否かを判断し、読み取られたと判断した場合に、くじを実施する請求項１〜３の何れか一項に記載のくじ装置。
＜請求項５＞
前記カードには、種類によってデザインが異なるカードと全種類同じデザインのカードとが存在し、
前記くじ制御手段は、前記種類によってデザインが異なるカードについて前記複数の種類のうち予め定められた割合以上又は個数以上の種類のカードが読み取られたと判断した場合に、くじを実施する請求項４に記載のくじ装置。
＜請求項６＞
前記くじ制御手段は、前記全種類同じデザインのカードについて前記予め定められた割合以上又は個数以上の種類のカードが読み取られたと判断した場合は、くじを実施することなく当選と判定する請求項５に記載のくじ装置。
＜請求項７＞
前記カードは、非接触型ＩＣカードであり、前記読取手段は、前記カードと非接触通信を行って前記カードの種類を示す識別情報を読み取る請求項１〜６の何れか一項に記載のくじ装置。
＜請求項８＞
複数の種類が存在するカードから当該カードの種類を示す識別情報を読み取る読取手段を備えるくじ装置に用いられるコンピュータを、
前記読取手段により読み取られたカードの種類を示す識別情報を顧客に対応付けて記憶手段に記憶させる記憶制御手段、
前記記憶手段に記憶されている顧客に対応付けられたカードの種類を示す識別情報に基づいて、くじ実施の制御を行うくじ制御手段、
として機能させるためのプログラム。
＜請求項９＞
複数の種類が存在するカードから当該カードの種類を示す識別情報を読み取る工程と、
前記読み取られたカードの種類を示す識別情報を顧客に対応付けて記憶手段に記憶させる工程と、
前記記憶手段に記憶されている顧客に対応付けられたカードの種類を示す識別情報に基づいて、くじ実施の制御を行う工程と、
を含むくじ制御方法。
【符号の説明】
【００５８】
１  デジタルサイネージ装置
２１  投影部
２２  スクリーン部
２３  制御部
２４  プロジェクタ
２５  記憶部
２５１  プログラム記憶部
２５２  カード収集管理ＤＢ
２６  通信部
２７  画像形成部
２８  台座
２９  透光板
３２  操作部
３３  音声出力部
３４  非接触通信部
３５  プリンタ
３６  撮像部
【図１】
2015176183.tif 000003
【図２】
2015176183.tif 000004
【図３】
2015176183.tif 000005
【図４】
2015176183.tif 000006
【図５】
2015176183.tif 000007